(57)【特許請求の範囲】
【請求項１】
粒状セラミックスと、当該粒状セラミックスを収容可能に構成された容器体とを備えて、前記粒状セラミックスを浴湯内に浸漬可能に構成された浴用健康補助器具であって、
前記容器体は、中空平板状の外ケースと、当該外ケース内に収容可能に構成された中空平板状の中ケースとを備え、
前記外ケースは、複数の排気孔が天板に形成されると共に、前記中ケース上に敷設した前記粒状セラミックスを当該中ケースと共に収容可能に構成され、
前記中ケースは、複数の通気孔が天板に形成されると共に、前記粒状セラミックスを収容可能に構成され、かつ、エアーホースを接続する接続用ノズルが側板に取り付けられて構成されている浴用健康補助器具。
【請求項２】
前記外ケースにおける前記天板の内面と前記中ケースにおける前記天板の外面との双方に接する厚みに形成されて当該中ケースと共に当該外ケース内に収容可能に構成された枠部材を備えている請求項１記載の浴用健康補助器具。
【請求項３】
前記外ケースは、弾性材料で形成された脚が底板に取り付けられて構成されている請求項１または２記載の浴用健康補助器具。
【請求項４】
前記中ケースは、前記粒状セラミックスを出し入れ可能な開口部が前記天板および底板のいずれかに形成されると共に、当該開口部を閉塞する蓋体を備えて構成されている請求項１から３のいずれかに記載の浴用健康補助器具。
【請求項５】
前記粒状セラミックスとして、マイナスイオンセラミックス、遠赤外線セラミックス、およびマイナスイオンセラミックスと遠赤外線セラミックスとの混合物の少なくとも１つが前記容器体内に収容されている請求項１から４のいずれかに記載の浴用健康補助器具。
【請求項６】
請求項１から５のいずれかに記載の浴用健康補助器具と、当該浴用健康補助器具に前記エアーを供給するエアーポンプとを備えている浴用健康補助システム。
【発明の詳細な説明】
【技術分野】
【０００１】
本発明は、粒状セラミックスを容器体内に収容して浴湯に浸漬可能に構成した浴用健康補助器具、およびその浴用健康補助器具を備えた浴用健康補助システムに関するものである。
【背景技術】
【０００２】
例えば、特許第３７７３９０５号公報には、トルマリン鉱石を浴湯に浸漬してマイナスイオンを発生させる入浴用の健康増進具（以下、単に「健康増進具」ともいう）が開示されている。この健康増進具は、トルマリン加工シートで形成されてトルマリン鉱石を収納可能に構成された収納袋と、この収納袋を垂設可能に構成されたフロート部材とを備え、フロート部材を浴湯に浮かべるようにして浴槽内に設置することで、フロート部材に垂設されているトルマリン加工シート製の収納袋、および収納袋内に収納されているトルマリン鉱石が浴湯に浸漬された状態となる構成が採用されている。これにより、この健康増進具では、収納袋やトルマリン鉱石が浴湯によって加温されてマイナスイオンが発生する結果、血行の促進や細胞活性化等の健康増進効果が得られる。
【先行技術文献】
【特許文献】
【０００３】
【特許文献１】特許第３７７３９０５号公報（第２−４頁、第１−４図）
【発明の概要】
【発明が解決しようとする課題】
【０００４】
ところが、従来の健康増進具には、以下の解決すべき課題が存在する。すなわち、従来の健康増進具では、トルマリン加工シート製の収納袋にトルマリン鉱石を収納してフロート部材に垂設することで収納袋およびトルマリン鉱石を浴湯によって加温してマイナスイオンを発生させる構成が採用されている。このため、従来の健康増進具では、収納袋やトルマリン鉱石が浴湯によって加温されることで発生する極く少量のマイナスイオンだけしか得ることができず、十分な健康増進効果を得るのが困難であるという問題点が存在する。また、従来の健康増進具では、収納袋およびトルマリン鉱石がフロート部材の下方に位置した状態で浴湯に浸漬される。このため、利用者が浴湯に浸かっている状態においては、利用者から離間した位置においてマイナスイオンが発生する結果、極く少量のマイナスイオンしか得ることができないにも拘わらず、利用者がこの少量のマイナスイオンの恩恵を得られ難いという問題点もある。
【０００５】
本発明は、かかる問題点に鑑みてなされたものであり、利用者の近傍において十分な量のマイナスイオン等を発生させ得る浴用健康補助器具および浴用健康補助システムを提供することを主目的とする。
【課題を解決するための手段】
【０００６】
上記目的を達成すべく、請求項１記載の浴用健康補助器具は、粒状セラミックスと、当該粒状セラミックスを収容可能に構成された容器体とを備えて、前記粒状セラミックスを浴湯内に浸漬可能に構成された浴用健康補助器具であって、前記容器体は、中空平板状の外ケースと、当該外ケース内に収容可能に構成された中空平板状の中ケースとを備え、前記外ケースは、複数の排気孔が天板に形成されると共に、前記中ケース上に敷設した前記粒状セラミックスを当該中ケースと共に収容可能に構成され、前記中ケースは、複数の通気孔が天板に形成されると共に、前記粒状セラミックスを収容可能に構成され、かつ、エアーホースを接続する接続用ノズルが側板に取り付けられて構成されている。
【０００７】
また、請求項２記載の浴用健康補助器具は、請求項１記載の浴用健康補助器具において、前記外ケースにおける前記天板の内面と前記中ケースにおける前記天板の外面との双方に接する厚みに形成されて当該中ケースと共に当該外ケース内に収容可能に構成された枠部材を備えている。
【０００８】
さらに、請求項３記載の浴用健康補助器具は、請求項１または２記載の浴用健康補助器具において、前記外ケースは、弾性材料で形成された脚が底板に取り付けられて構成されている。
【０００９】
また、請求項４記載の浴用健康補助器具は、請求項１から３のいずれかに記載の浴用健康補助器具において、前記中ケースは、前記粒状セラミックスを出し入れ可能な開口部が前記天板および底板のいずれかに形成されると共に、当該開口部を閉塞する蓋体を備えて構成されている。
【００１０】
さらに、請求項５記載の浴用健康補助器具は、請求項１から４のいずれかに記載の浴用健康補助器具において、前記粒状セラミックスとして、マイナスイオンセラミックス、遠赤外線セラミックス、およびマイナスイオンセラミックスと遠赤外線セラミックスとの混合物の少なくとも１つが前記容器体内に収容されている。
【００１１】
また、請求項６記載の浴用健康補助システムは、請求項１から５のいずれかに記載の浴用健康補助器具と、当該浴用健康補助器具に前記エアーを供給するエアーポンプとを備えている。
【発明の効果】
【００１２】
請求項１記載の浴用健康補助器具では、複数の排気孔が天板に形成される共に中ケース上に敷設した粒状セラミックスを中ケースと共に収容可能に構成した中空平板状の外ケースと、複数の通気孔が天板に形成されると共に粒状セラミックスを収容可能に構成し、かつ、エアーホースを接続する接続用ノズルが側板に取り付けられている中空平板状の中ケースとを備えて容器体が構成されている。また、請求項６記載の浴用健康補助システムでは、請求項１から５のいずれかに記載の浴用健康補助器具と、浴用健康補助器具にエアーを供給するエアーポンプとを備えている。
【００１３】
したがって、請求項１記載の浴用健康補助器具、および請求項６記載の浴用健康補助システムによれば、収容袋内に収容された状態で単に浴湯に浸漬させるだけの従来の健康増進具とは異なり、粒状セラミックスの周囲にエアーが供給されて容器体内の浴湯と共に各粒状セラミックスが攪拌される結果、容器体内の粒状セラミックスに十分な量の外的エネルギーが加わる結果、十分な量のマイナスイオンや遠赤外線を発生させることができる。また、中ケース内、および中ケース上の２段に分けて粒状セラミックスを敷設し（粒状セラミックスの収容部位を２段構造とし）、かつ、下方（中ケース内）から上方（中ケース上）に向かってエアーを吹き上げる構造としたことにより、中ケース内において粒状セラミックスに接して十分な量のマイナスイオンを含んだエアーが中ケース上に敷設された粒状セラミックスに接した後に容器体の外に排気されるため、十分な量のマイナスイオンを含んだエアーを排気することができる。さらに、粒状セラミックスを収容している容器体が中空平板状に形成されているため、利用者と共に浴用健康補助器具を浴槽内に入れたときに、浴用健康補助器具が邪魔にならないのは勿論のこと、利用者の下方に位置させて容器体から排気されるマイナスイオンを含んだエアーを利用者の体に直接接触させることができる。
【００１４】
また、請求項２記載の浴用健康補助器具によれば、外ケースにおける天板の内面と中ケースにおける天板の外面との双方に接する厚みに形成されて中ケースと共に外ケース内に収容可能に構成された枠部材を備えたことにより、浴用健康補助器具の組立てに際して中ケース上に敷設した粒状セラミックスが転がり落ちる事態を回避して容易に組み立てることができるだけでなく、完成状態の浴用健康補助器具の上に利用者が腰掛けたり立ち上がったときに、外ケースに潰れが生じるのを中ケースと枠部材とが相まって回避するため、浴用健康補助器具に変形が生じて美観が損なわれる事態を回避することができる。
【００１５】
さらに、請求項３記載の浴用健康補助器具によれば、弾性材料で形成された脚を外ケースの底板に取り付けたことにより、外ケースが浴槽の底板に接して浴槽に傷付きが生じる事態を回避することができる。
【００１６】
また、請求項４記載の浴用健康補助器具によれば、粒状セラミックスを出し入れ可能な開口部を天板および底板のいずれかに形成すると共に、開口部を閉塞する蓋体を備えて中ケースを構成したことにより、中ケース内から粒状セラミックスを容易に取り出すことができるため、必要に応じて中ケース内の粒状セラミックスを洗浄することで、これらを清潔に保つことができる。
【００１７】
さらに、請求項５記載の浴用健康補助器具によれば、粒状セラミックスとして、マイナスイオンセラミックス、遠赤外線セラミックス、およびマイナスイオンセラミックスと遠赤外線セラミックスとの混合物の少なくとも１つを容器体内に収容したことにより、十分な量のマイナスイオンおよび遠赤外線を発生させることができるため、この浴用健康補助器具（浴用健康補助システム）を利用して入浴することで、リラックス効果を得ながら、血行促進や細胞機能活性化等を図ることができる。
【図面の簡単な説明】
【００１８】
【図１】浴用健康補助システム１の構成図である。
【図２】浴用健康補助システム１における浴用健康補助器具２の外観斜視図である。
【図３】浴用健康補助システム１における浴用健康補助器具２の分解斜視図である。
【図４】浴用健康補助システム１における浴用健康補助器具２の断面図である。
【図５】浴用健康補助器具２の組立て方法についての説明図であって、下ケース２０ａ内に球状セラミックスＣを敷設している状態を示す斜視図である。
【図６】浴用健康補助器具２の組立て方法についての説明図であって、中ケース２０に下ケース１０ａを取り付けた状態の斜視図である。
【図７】図６に示す状態の中ケース２０上に枠部材３０を載置して球状セラミックスＣを敷設している状態の斜視図である。
【発明を実施するための形態】
【００１９】
以下、本発明に係る浴用健康補助器具および浴用健康補助システムの実施の形態について、添付図面を参照して説明する。
【００２０】
図１に示す浴用健康補助システム１は、浴湯Ｗ内にマイナスイオンを含む数多くの気泡を発生させると共に遠赤外線を発生するシステム（マイナスイオン・遠赤外線発生システム）であって、浴用健康補助器具２およびエアーポンプ３を備えて構成されている。浴用健康補助器具（マイナスイオン・遠赤外線発生装置）２は、球状セラミックスＣ（図３〜５，７参照）と、球状セラミックスＣを収容可能に構成された容器体５（図２参照）とを備えて構成されている。この場合、エアーポンプ３は、圧縮エアーを浴用健康補助器具２に供給するための装置であって、図１に示すように、浴用健康補助器具２に対してエアーホース３ａを介して接続されると共に、オン／オフ操作用の操作スイッチが配設された操作部３ｂが接続されている。
【００２１】
また、球状セラミックスＣは、「粒状セラミックス」に相当し、一例として、マイナスイオンセラミックスと遠赤外線セラミックスとの混合物を球状に加工して焼結したセラミックボールであって、後述するように、浴槽Ｂ内の浴湯Ｗによって加温されたり、他の球状セラミックスＣや容器体５などに当接したりすることにより、マイナスイオンおよび遠赤外線を発生させる。なお、上記の球状セラミックスＣに代えて、マイナスイオンセラミックスを球状に加工して焼結したセラミックボール、および遠赤外線セラミックスを球状に加工して焼結したセラミックボールのいずれか、または双方を容器体５内に収容して浴用健康補助器具２を構成することもできる。
【００２２】
一方、図３に示すように、容器体５は、中空平板状の外ケース１０と、外ケース１０内に収容可能に構成された中空平板状の中ケース２０と、中ケース２０と共に外ケース１０内に収容可能に構成された枠部材３０とを備え、全体として中空平板状に形成されている。外ケース１０は、一例として、ステンレススチールの板材を折曲げ加工して浅皿状に形成された下ケース１０ａおよび上ケース１０ｂを備えて構成され、下ケース１０ａおよび上ケース１０ｂを嵌め合わせることで形成される空間内に、中ケース２０、および後述するように中ケース２０上に敷設した球状セラミックスＣを収容することができるように構成されている。
【００２３】
この場合、下ケース１０ａには、容器体５を浴湯Ｗに浸漬した後に浴槽Ｂから引き上げた際に外ケース１０内の浴湯Ｗを排水するための複数のスリット１１が形成されると共に、図４に示すように、ゴム脚１２（「弾性材料で形成された脚」の一例）が取り付けられている。また、図２，３に示すように、上ケース１０ｂには、複数の排気孔１５が形成されると共に、後述するように中ケース２０に取り付けられた接続用ノズル２７を外ケース１０の外に突出させるための切欠き１６が形成されている。さらに、上ケース１０ｂには、浴用健康補助システム１（浴用健康補助器具２）を使用しないときに、図示しないフック等に容器体５を釣り下げておくための金具１７が取り付けられている。
【００２４】
中ケース２０は、一例として、ステンレススチールの板材を折曲げ加工して浅皿状に形成された下ケース２０ａおよび上ケース２０ｂを備え、下ケース２０ａおよび上ケース２０ｂを嵌め合わせることで形成される空間内に球状セラミックスＣを収容することができるように構成されている。この場合、下ケース２０ａには、上ケース２０ｂに取り付けられた接続用ノズル２７に当接するのを回避するための切欠き２１が形成されている。また、上ケース２０ｂには、複数の通気孔２５が形成されると共に、エアーポンプ３に接続されたエアーホース３ａ（図１，４参照）を接続する接続用ノズル２７が取り付けられている。また、中ケース２０は、球状セラミックスＣを出し入れ可能な開口部２６が上ケース２０ｂに形成されると共に（「天板および底板のいずれか」が「天板」の構成の例）、この開口部２６を閉塞する蓋体２６ａを備えて構成されている。
【００２５】
枠部材３０は、浴用健康補助器具２の組立てに際して中ケース２０上に敷設した球状セラミックスＣが転がり落ちるのを阻止すると共に、後述するようにして容器体５の上に利用者が腰掛けたときに、中ケース２０と相まって、外ケース１０における上ケース１０ｂが変形する事態を回避するための部材であって、一例として、ステンレススチールの板材を折り曲げ加工して形成されている。この枠部材３０は、図４に示すように、中ケース２０と共に外ケース１０内に収容したときに、外ケース１０における上ケース１０ｂの内面と中ケース２０における上ケース２０ｂの外面との双方に接する厚みに形成されている。なお、同図では、浴用健康補助システム１（浴用健康補助器具２）の構成についての理解を容易とするために、下ケース１０ａ、上ケース１０ｂ、下ケース２０ａ、上ケース２０ｂおよび枠部材３０等を互いに離間させて図示しているが、実際には、これらが互いに接して一体化されている。
【００２６】
この浴用健康補助器具２の組立てに際しては、まず、図５に示すように、中ケース２０における下ケース２０ａ上に複数の球状セラミックスＣを敷設する。なお、同図では、６つの球状セラミックスＣだけを図示しているが、実際にはさらに多数の球状セラミックスＣを敷設する（下ケース２０ａ内に球状セラミックスＣを敷き詰める）。次いで、開口部２６を閉塞するようにして蓋体２６ａを上ケース２０ｂにねじ止めすると共に、球状セラミックスＣを敷設した下ケース２０ａに対して上ケース２０ｂを嵌め合わせて一体化させる。これにより、中空平板状の中ケース２０が完成する。
【００２７】
続いて、図６に示すように、下ケース１０ａ内に中ケース２０を嵌め込んだ後に、図７に示すように、その状態の中ケース２０上に枠部材３０を載置する。次いで、枠部材３０の各枠内に球状セラミックスＣを載置することにより、中ケース２０上に球状セラミックスＣを敷設する。なお、同図では、１つの枠内に５つの球状セラミックスＣだけ載置した状態を図示しているが、実際には、各枠内にさらに多数の球状セラミックスＣを敷設する（下ケース２０ａ上に球状セラミックスＣを敷き詰める）。この後、枠部材３０内（中ケース２０上）への球状セラミックスＣの敷設が完了した中ケース２０の上方から下ケース１０ａに対して上ケース１０ｂを嵌め込むことにより、図２に示すように、浴用健康補助器具２が完成する。
【００２８】
この浴用健康補助器具２の使用に際しては、エアーポンプ３に接続されているエアーホース３ａを浴用健康補助器具２の接続用ノズル２７に接続すると共に、図１に示すように、下ケース１０ａの下面が浴槽Ｂの底板に向かい合うようにして（平板状に形成されている容器体５を浴槽Ｂの底板に沿わせるようにして）浴用健康補助器具２を浴槽Ｂ内に設置する。この際には、容器体５における外ケース１０（下ケース１０ａ）に取り付けられた各ゴム脚１２が浴槽Ｂの底板に接する結果、容器体５（外ケース１０）によって浴槽Ｂの底板が傷付けられる事態が回避される。また、浴用健康補助器具２が浴槽Ｂ内に設置された状態では、容器体５内の各球状セラミックスＣが浴湯Ｗに浸漬されて、浴湯Ｗによって加温される。これにより、各球状セラミックスＣからマイナスイオンおよび遠赤外線が発生する。
【００２９】
次いで、エアーポンプ３を図示しない商用交流に接続した状態において、操作部３ｂを操作してエアーポンプ３を作動させる。この際には、浴用健康補助器具２の中ケース２０内にエアーホース３ａを介してエアーが供給される結果、このエアーが中ケース２０内に収容されている各球状セラミックスＣに接するようにして中ケース２０内に拡がる。この際に、供給されるエアーによって中ケース２０内の各球状セラミックスＣが中ケース２０内において浴湯Ｗと共に攪拌されるため、各球状セラミックスＣが中ケース２０の内面や、他の球状セラミックスＣに当接する。この結果、中ケース２０内の各球状セラミックスＣから十分な量の遠赤外線およびマイナスイオンが発生する。
【００３０】
次いで、中ケース２０内において各球状セラミックスＣに接したエアー（十分な量のマイナスイオンを含んだエアー）は、上ケース２０ｂに形成された各通気孔２５から外ケース１０内に（中ケース２０の外に）通気される。この際に、中ケース２０上に敷設されている各球状セラミックスＣが中ケース２０からのエアーによって外ケース１０内において浴湯Ｗと共に攪拌されるため、各球状セラミックスＣが中ケース２０の外面、外ケース１０の内面、枠部材３０および他の球状セラミックスＣに当接する結果、中ケース２０上の各球状セラミックスＣからさらに十分な量の遠赤外線およびマイナスイオンが発生する。
【００３１】
この後、外ケース１０内に通気されたエアーは、上ケース１０ｂに形成された各通気孔２５から外ケース１０の外に排気される。これにより、マイナスイオンを大量に含んだエアーによる気泡が浴湯Ｗ内に発生する。したがって、図１に示すように、利用者が浴槽Ｂ内に設置した浴用健康補助器具２の上に腰掛けているだけで、浴用健康補助器具２から発生した遠赤外線や、マイナスイオンを大量に含んだ気泡が、利用者の体に直接的に接することとなる。
【００３２】
一方、この浴用健康補助システム１（浴用健康補助器具２」）では、長期間に亘る使用に伴って容器体５内の球状セラミックスＣに汚れが生じたときに、この球状セラミックスＣを容器体５内から取り出して洗浄することができるように構成されている。この場合、中ケース２０上に敷設された状態で外ケース１０内に収容されている球状セラミックスＣについては、下ケース１０ａから上ケース１０ｂを取り外すことによって取り出すことができる。一方、中ケース２０内に収容されている球状セラミックスＣについては、上ケース２０ｂから蓋体２６ａを取り外すことにより、開口部２６から取り出すことができる。この後、取り出した球状セラミックスＣを流水等に晒しながら洗浄し、再び容器体５内に収容することで、浴用健康補助システム１（浴用健康補助器具２）を清潔に保つことができる。
【００３３】
このように、この浴用健康補助器具２では、複数の排気孔１５が天板に形成される共に中ケース２０上に敷設した球状セラミックスＣを中ケース２０と共に収容可能に構成した中空平板状の外ケース１０と、複数の通気孔２５が天板に形成されると共に球状セラミックスＣを収容可能に構成し、かつ、エアーホース３ａを接続する接続用ノズル２７が側板に取り付けられて構成された中空平板状の中ケース２０とを備えて容器体５が構成されている。また、この浴用健康補助システム１では、上記の浴用健康補助器具２と、浴用健康補助器具２にエアーを供給するエアーポンプ３とを備えている。
【００３４】
したがって、この浴用健康補助器具２、および浴用健康補助器具２を備えた浴用健康補助システム１によれば、収容袋内に収容された状態で単に浴湯に浸漬させるだけの従来の健康増進具とは異なり、球状セラミックスＣの周囲にエアーが供給されて容器体５内の浴湯Ｗと共に各球状セラミックスＣが攪拌される結果、容器体５内の球状セラミックスＣに十分な量の外的エネルギーが加わる結果、十分な量のマイナスイオンや遠赤外線を発生させることができる。また、中ケース２０内、および中ケース２０上の２段に分けて球状セラミックスＣを敷設し（球状セラミックスＣの収容部位を２段構造とし）、かつ、下方（中ケース２０内）から上方（中ケース２０上）に向かってエアーを吹き上げる構造としたことにより、中ケース２０内において球状セラミックスＣに接して十分な量のマイナスイオンを含んだエアーが中ケース２０上に敷設された球状セラミックスＣに接した後に容器体５の外に排気されるため、十分な量のマイナスイオンを含んだエアーを排気することができる。さらに、球状セラミックスＣを収容している容器体５が中空平板状に形成されているため、利用者と共に浴用健康補助器具２を浴槽Ｂ内に入れたときに、浴用健康補助器具２が邪魔にならないのは勿論のこと、利用者の下方に位置させて容器体５から排気されるマイナスイオンを含んだエアーを利用者の体に直接接触させることができる。
【００３５】
また、この浴用健康補助器具２によれば、外ケース１０における天板の内面と中ケース２０における天板の外面との双方に接する厚みに形成されて中ケース２０と共に外ケース１０内に収容可能に構成された枠部材３０を備えたことにより、浴用健康補助器具２の組立てに際して中ケース２０上に敷設した球状セラミックスＣが転がり落ちる事態を回避して容易に組み立てることができるだけでなく、完成状態の浴用健康補助器具２の上に利用者が腰掛けたり立ち上がったときに、外ケース１０に潰れが生じるのを中ケース２０と枠部材３０とが相まって回避するため、浴用健康補助器具２に変形が生じて美観が損なわれる事態を回避することができる。
【００３６】
さらに、この浴用健康補助器具２によれば、ゴム脚１２を外ケース１０の底板に取り付けたことにより、外ケース１０（下ケース１０ａ）が浴槽Ｂの底板に接して浴槽Ｂに傷付きが生じる事態を回避することができる。
【００３７】
また、この浴用健康補助器具２によれば、球状セラミックスＣを出し入れ可能な開口部２６を天板に形成すると共に、開口部２６を閉塞する蓋体２６ａを備えて中ケース２０を構成したことにより、中ケース２０内から球状セラミックスＣを容易に取り出すことができるため、必要に応じて中ケース２０内の球状セラミックスＣを洗浄することで、これらを清潔に保つことができる。
【００３８】
さらに、この浴用健康補助器具２によれば、「粒状セラミックス」として、マイナスイオンセラミックスと遠赤外線セラミックスとの混合物で構成した球状セラミックスＣを容器体５内に収容したことにより、十分な量のマイナスイオンおよび遠赤外線を発生させることができるため、この浴用健康補助システム１（浴用健康補助器具２）を利用して入浴することで、リラックス効果を得ながら、血行促進や細胞機能活性化等を図ることができる。
【００３９】
なお、浴用健康補助器具および浴用健康補助システムの構成は、上記の浴用健康補助器具２および浴用健康補助システム１の構成に限定されない。例えば、中ケース２０と共に外ケース１０内に枠部材３０を収容した構成を例に挙げて説明したが、「枠部材」は必須の構成要素ではなく、一例として、上記の浴用健康補助器具２の外ケース１０における下ケース１０ａの側板を上ケース１０ｂの側板と同程度の高さに形成する（下ケース１０ａの側板を、中ケース２０の厚みと枠部材３０の厚みとの和と同程度の高さに形成する）ことにより、枠部材３０を不要としつつ、中ケース２０上に敷設した球状セラミックスＣが転がり落ちる事態や、外ケース１０に潰れが生じる事態を十分に回避することができる。また、中ケース２０の上ケース２０ｂに開口部２６を設けて蓋体２６ａによって閉塞する構成を例に挙げて説明したが、中ケース２０の下ケース２０ａに開口部を設けて蓋体によって閉塞する構成を採用することもできる。
【符号の説明】
【００４０】
１  浴用健康補助システム
２  浴用健康補助器具
３  エアーポンプ
３ａ  エアーホース
５  容器体
１０  外ケース
１０ａ，２０ａ  下ケース
１０ｂ，２０ｂ  上ケース
１１  スリット
１２  ゴム脚
１５  排気孔
１６  切欠き
１７  金具
２０  中ケース
２１  切欠き
２５  通気孔
２６  開口部
２６ａ  蓋体
２７  接続用ノズル
３０  枠部材０
Ｂ  浴槽
Ｃ  球状セラミックス
Ｗ  浴湯
【図１】
0005512475.tif 000002
【図２】
0005512475.tif 000003
【図３】
0005512475.tif 000004
【図４】
0005512475.tif 000005
【図５】
0005512475.tif 000006
【図６】
0005512475.tif 000007
【図７】
0005512475.tif 000008